(57)【要約】【課題】通信品質を劣化させずに光通信線路切替を可能とする。【解決手段】対向する局側伝送装置と加入者側伝送装置が現用線路を介して信号光を送受信し、伝送装置間のフレーム往復時間の測定値に基づいて通信のタイミングを管理する通信タイミング管理機能を備えた光通信システムに用いられ、前記現用線路と信号伝達時間が一致する迂回線路を構築し、通信状態を維持しながら別の新規線路に切り替える光通信線路切替装置において、局側伝送装置および加入者側伝送装置から現用線路を通って前記局側伝送装置および前記加入者側伝送装置で受光される光信号パワーと前記光通信線路切替から迂回線路を通って前記局側伝送装置および前記加入者側伝送装置で受光される光信号パワーに差がある場合においても光通信線路切替装置から送信される光信号パワーを調整することで、通信品質を劣化させずに光通信線路切替が可能となる光通信線路切替装置を提供する。【選択図】      図１
2014212471.tif 000002
【特許請求の範囲】
【請求項１】
互いに対向する局側伝送装置と加入者側伝送装置が現用線路を介して信号光を送受信する光通信システムに用いられ、前記局側伝送装置と前記加入者側伝送装置との間に、前記現用線路と信号伝達時間が一致する迂回線路を構築し、通信状態を維持しながら別の新規線路に切り替える遅延量調整器において、
前記局側伝送装置からの光信号パワーを計測するための局側光パワーメータと、
前記加入者側伝送装置からの光信号パワーを計測するための加入者側光パワーメータと、
前記局側伝送装置に向けて試験光を送信するための局側試験光光源と、
前記加入者側伝送装置に向けて試験光を送信するための加入者側試験光光源と、
前記局側伝送装置の手前に設置されている局側試験光反射フィルタによって反射された前記局側試験光光源から送信された試験光の光パワーを計測するための局側試験光光パワーメータと、
前記加入者側伝送装置の手前に設置されている加入者側の試験光反射フィルタによって反射された前記加入者側試験光光源から送信された試験光の光パワーを計測するための加入者側試験光光パワーメータと、
前記現用線路と前記迂回線路の遅延量を一致させるための遅延量調整器と、
前記遅延量調整器から前記局側伝送装置に送信される光信号パワーを、設定された調整量に基づいて調整するための局側光パワー調整器と、
前記遅延量調整器から前記加入者側伝送装置に送信される光信号パワーを、設定された調整量に基づいて調整するための加入者側光パワー調整器と、
前記局側光パワーメータと前記加入者側光パワーメータと前記局側試験光光源と前記加入者側試験光光源と前記局側試験光光パワーメータと前記加入者側試験光光パワーメータと前記局側光パワー調整器と前記加入者側光パワー調整器と前記遅延量調整器を制御するものであって、前記局側光パワーメータ、前記加入者側光パワーメータ、前記局側試験光光パワーメータ及び前記加入者側試験光光パワーメータによる計測結果に基づいて、前記局側光パワー調整器及び前記加入者側光パワー調整器それぞれの調整量を制御するための制御装置とを具備することを特徴とする光通信線路切替装置。
【請求項２】
前記制御装置は、前記局側光パワーメータの計測結果、前記局側試験光光パワーメータの計測結果及び前記加入者側試験光光パワーメータの計測結果に基づいて、前記加入者側伝送装置からの光信号及び前記遅延量調整器からの光信号が同じ光信号パワーで前記局側伝送装置に入力するべく前記局側光パワー調整器の調整量を制御し、
前記加入者側光パワーメータの計測結果、前記局側試験光光パワーメータの計測結果及び前記加入者側試験光光パワーメータの計測結果に基づいて、前記局側伝送装置からの光信号及び前記遅延量調整器からの光信号が同じ光信号パワーで前記加入者側伝送装置に入力するべく前記加入者側光パワー調整器の調整量を制御することを特徴とする請求項１記載の光通信線路切替装置。
【請求項３】
互いに対向する局側伝送装置と加入者側伝送装置が現用線路を介して信号光を送受信する光通信システムに用いられ、前記局側伝送装置と前記加入者側伝送装置との間に、前記現用線路と信号伝達時間が一致する迂回線路を構築し、遅延量調整器により通信状態を維持しながら別の新規線路に切り替える光通信線路切替方法において、
前記局側伝送装置からの光信号パワーを計測する工程と、
前記加入者側伝送装置からの光信号パワーを計測する工程と、
前記局側伝送装置に向けて試験光を送信する工程と、
前記加入者側伝送装置に向けて試験光を送信する工程と、
前記局側伝送装置の手前に設置されている局側試験光反射フィルタによって反射された前記局側試験光光源から送信された試験光の光パワーを計測する工程と、
前記加入者側伝送装置の手前に設置されている加入者側の試験光反射フィルタによって反射された前記加入者側試験光光源から送信された試験光の光パワーを計測する工程と、
前記現用線路と前記迂回線路の遅延量を一致させる工程と、
前記局側伝送装置からの光信号パワーの計測結果、前記局側試験光光源から送信された試験光の光パワーの計測結果及び前記加入者側試験光光源から送信された試験光の光パワーの計測結果に基づいて、前記加入者側伝送装置からの光信号及び前記遅延量調整器からの光信号が同じ光信号パワーで前記局側伝送装置に入力するべく前記遅延量調整器から前記局側伝送装置に送信される光信号パワーを調整する工程と、
前記加入者側伝送装置からの光信号パワーの計測結果、前記局側試験光光源から送信された試験光の光パワーの計測結果及び前記加入者側試験光光源から送信された試験光の光パワーの計測結果に基づいて、前記局側伝送装置からの光信号及び前記遅延量調整器からの光信号が同じ光信号パワーで前記加入者側伝送装置に入力するべく前記遅延量調整器から前記加入者側伝送装置に送信される光信号パワーを調整する工程とを具備することを特徴とする光通信線路切替方法。
【請求項４】
互いに対向する局側伝送装置と加入者側伝送装置が現用線路を介して信号光を送受信する光通信システムに用いられ、分岐比が既知の光カプラ間で前記現用線路と信号伝達時間と線路損失が一致する迂回線路を構築し、通信状態を維持しながら別の新規線路に切り替える光通信線路切替装置において、
前記局側伝送装置からの光信号パワーを計測するための局側光パワーメータと、
前記加入者側伝送装置からの光信号パワーを計測するための加入者側光パワーメータと、
前記現用線路と前記迂回線路の遅延量を一致させるための遅延量調整器と、
前記遅延量調整器から前記局側伝送装置に送信される光信号パワーを、設定された調整量に基づいて調整するための局側光パワー調整器と、
前記遅延量調整器から前記加入者側伝送装置に送信される光信号パワーを、設定された調整量に基づいて調整するための加入者側光パワー調整器と、
前記局側光パワーメータと前記加入者側光パワーメータと前記局側光パワー調整器と前記加入者側光パワー調整器と前記遅延量調整器を制御するものであって、前記局側光パワーメータの計測結果及び前記加入者側光パワーメータの計測結果に基づいて、前記局側光パワー調整器及び前記加入者側光パワー調整器それぞれの調整量を制御するための制御装置とを具備することを特徴とする光通信線路切替装置。
【請求項５】
前記制御装置は、前記局側光パワーメータの計測結果に基づいて、前記加入者側伝送装置からの光信号及び前記遅延量調整器からの光信号が同じ光信号パワーで前記局側伝送装置に入力するべく前記局側光パワー調整器の調整量を制御し、
前記加入者側光パワーメータの計測結果に基づいて、前記局側伝送装置からの光信号及び前記遅延量調整器からの光信号が同じ光信号パワーで前記加入者側伝送装置に入力するべく前記加入者側光パワー調整器の調整量を制御することを特徴とする請求項４記載の光通信線路切替装置。
【請求項６】
互いに対向する局側伝送装置と加入者側伝送装置が現用線路を介して信号光を送受信する光通信システムに用いられ、分岐比が既知の光カプラ間で前記現用線路と信号伝達時間と線路損失が一致する迂回線路を構築し、遅延量調整器により通信状態を維持しながら別の新規線路に切り替える光通信線路切替方法において、
前記局側伝送装置からの光信号パワーを計測する工程と、
前記加入者側伝送装置からの光信号パワーを計測する工程と、
前記現用線路と前記迂回線路の遅延量を一致させる工程と、
前記局側伝送装置からの光信号パワーの計測結果に基づいて、前記加入者側伝送装置からの光信号及び前記遅延量調整器からの光信号が同じ光信号パワーで前記局側伝送装置に入力するべく前記遅延量調整器から前記局側伝送装置に送信される光信号パワーを調整する工程と、
前記加入者側伝送装置からの光信号パワーの計測結果に基づいて、前記局側伝送装置からの光信号及び前記遅延量調整器からの光信号が同じ光信号パワーで前記加入者側伝送装置に入力するべく前記遅延量調整器から前記加入者側伝送装置に送信される光信号パワーを調整する工程とを具備することを特徴とした光通信線路切替方法。
【請求項７】
互いに対向する局側伝送装置と加入者側伝送装置が現用線路を介して信号光を送受信する光通信システムに用いられ、前記局側伝送装置と前記加入者側伝送装置との間に、前記現用線路と信号伝達時間が一致する迂回線路を構築し、遅延量調整器により通信状態を維持しながら別の新規線路に切り替える際に、光信号パワーを調整する光信号パワー調整方法において、
前記局側伝送装置からの光信号パワーを計測し、前記加入者側伝送装置からの光信号パワーを計測する工程と、
前記局側伝送装置に向けて加入者側試験光光源から試験光を出力する工程と、
前記局側伝送装置の手前に設置されている局側試験光反射フィルタによって反射された前記加入者側試験光光源から送信された試験光の光パワーを計測し、前記加入者側伝送装置の手前に設置されている加入者側の試験光反射フィルタによって反射され前記加入者側試験光光源から送信された試験光の光パワーを計測する工程と、
前記局側試験光光源の出力を停止し、前記加入者側伝送装置に向けて局側試験光光源から試験光を送信する工程と、
前記局側伝送装置の手前に設置されている局側試験光反射フィルタによって反射された前記局側試験光光源から送信された試験光の光パワーを計測し、前記加入者側伝送装置の手前に設置されている加入者側の試験光反射フィルタによって反射され前記局側試験光光源から送信された試験光の光パワーを計測する工程と、
前記局側伝送装置からの光信号パワーの計測結果、前記局側試験光光源から送信された試験光の光パワーの計測結果及び前記加入者側試験光光源から送信された試験光の光パワーの計測結果に基づいて、前記加入者側伝送装置からの光信号及び前記遅延量調整器からの光信号が同じ光信号パワーで前記局側伝送装置に入力するべく前記遅延量調整器から前記局側伝送装置に送信される光信号パワーを調整する工程と、
前記加入者側伝送装置からの光信号パワーの計測結果、前記局側試験光光源から送信された試験光の光パワーの計測結果及び前記加入者側試験光光源から送信された試験光の光パワーの計測結果に基づいて、前記局側伝送装置からの光信号及び前記遅延量調整器からの光信号が同じ光信号パワーで前記加入者側伝送装置に入力するべく前記遅延量調整器から前記加入者側伝送装置に送信される光信号パワーを調整する工程とを具備することを特徴とする光信号パワー調整方法。
【請求項８】
互いに対向する局側伝送装置と加入者側伝送装置が現用線路を介して信号光を送受信する光通信システムに用いられ、分岐比が既知の光カプラ間で前記現用線路と信号伝達時間と線路損失が一致する迂回線路を構築し、遅延量調整器により通信状態を維持しながら別の新規線路に切り替える際に、光信号パワーを調整する光信号パワー調整方法において、
前記局側伝送装置からの光信号パワーを計測し、前記加入者側伝送装置からの光信号パワーを計測する工程と、
前記局側伝送装置からの光信号パワーの計測結果に基づいて、前記加入者側伝送装置からの光信号及び前記遅延量調整器からの光信号が同じ光信号パワーで前記局側伝送装置に入力するべく前記遅延量調整器から前記局側伝送装置に送信される光信号パワーを調整する工程と、
前記加入者側伝送装置からの光信号パワーの計測結果に基づいて、前記局側伝送装置からの光信号及び前記遅延量調整器からの光信号が同じ光信号パワーで前記加入者側伝送装置に入力するべく前記遅延量調整器から前記加入者側伝送装置に送信される光信号パワーを調整する工程とを具備することを特徴とする光信号パワー調整方法。
【発明の詳細な説明】
【技術分野】
【０００１】
本発明は、支障移転工事等における光通信線路切替装置、光通信線路切替方法及び光信号パワー調整方法に関するものである。
【背景技術】
【０００２】
これまでの線路切替技術としては信号伝達時間が一致する迂回線路を構築し、通信状態を維持しながらケーブルルートを変更する方法が提案されている(非特許文献1参照)。一時的に通信を冗長化することにより、一方の線路で支障移転工事等の切替工事を実施しても、他方の線路で通信を維持することで、無瞬断光通信線路切替を実現する方法が提案されている(非特許文献1参照)。
【先行技術文献】
【非特許文献】
【０００３】
【非特許文献１】真鍋他、可変電気遅延器を用いた光線路無瞬断切替システムの基本検討、信学技報、vol.112、no.311、OFT2012-46、pp.23-26、2011
【発明の概要】
【発明が解決しようとする課題】
【０００４】
しかしながら、信号伝達時間が一致する迂回線路を構築し、通信状態を維持しながらケーブルルートを変更する光通信線路切替方法では、現用線路と迂回線路で通信を冗長化している場合と現用線路のみで通信を行っている場合と迂回線路で通信を行っている場合で局側伝送装置および加入者側伝送装置が受光する光パワーが異なる。局側伝送装置および加入者側伝送装置は受光する光パワーが大きく変化すると通信品質が劣化し、通信に影響を与えてしまうという課題があった。これは、信号伝達時間が一致する迂回線路を構築し、通信状態を維持しながらケーブルルートを変更する方法では避けられない課題である。
【０００５】
本発明の目的は、通信品質を劣化させずに光通信線路切替が可能となる光通信線路切替装置、光通信線路切替方法及び光信号パワー調整方法を提供することにある。
【課題を解決するための手段】
【０００６】
上記目的を達成するために本発明の一観点は、互いに対向する局側伝送装置と加入者側伝送装置が現用線路を介して信号光を送受信する光通信システムに用いられ、前記局側伝送装置と前記加入者側伝送装置との間に、前記現用線路と信号伝達時間が一致する迂回線路を構築し、通信状態を維持しながら別の新規線路に切り替える光通信線路切替装置において、前記局側伝送装置からの光信号パワーを計測するための局側光パワーメータと、前記加入者側伝送装置からの光信号パワーを計測するための加入者側光パワーメータと、前記局側伝送装置に向けて試験光を送信するための局側試験光光源と、前記加入者側伝送装置に向けて試験光を送信するための加入者側試験光光源と、前記局側伝送装置の手前に設置されている局側試験光反射フィルタによって反射された前記局側試験光光源から送信された試験光の光パワーを計測するための局側試験光光パワーメータと、前記加入者側伝送装置の手前に設置されている加入者側の試験光反射フィルタによって反射された前記加入者側試験光光源から送信された試験光の光パワーを計測するための加入者側試験光光パワーメータと、前記現用線路と前記迂回線路の遅延量を一致させるための遅延量調整器と、前記遅延量調整器から前記局側伝送装置に送信される光信号パワーを、設定された調整量に基づいて調整するための局側光パワー調整器と、前記遅延量調整器から前記加入者側伝送装置に送信される光信号パワーを、設定された調整量に基づいて調整するための加入者側光パワー調整器と、前記局側光パワーメータと前記加入者側光パワーメータと前記局側試験光光源と前記加入者側試験光光源と前記局側試験光光パワーメータと前記加入者側試験光光パワーメータと前記局側光パワー調整器と前記加入者側光パワー調整器と前記遅延量調整器を制御するものであって、前記局側光パワーメータ、前記加入者側光パワーメータ、前記局側試験光光パワーメータ及び前記加入者側試験光光パワーメータによる計測結果に基づいて、前記局側光パワー調整器及び前記加入者側光パワー調整器それぞれの調整量を制御するための制御装置とを備えるようにしたものである。
【０００７】
この構成によれば、現用線路を伝搬する信号光（上り、下り）と迂回線路を伝搬する信号光（上り、下り）の局側伝送装置及び加入者側伝送装置に入力される際の光強度差に着目し、例えば迂回線路の区間内に、局側光パワーメータと、加入者側光パワーメータと、局側試験光光源と、加入者側試験光光源と、局側試験光光パワーメータと、加入者側試験光光パワーメータと、局側光パワー調整器と、加入者側光パワー調整器と、遅延量調整器と、制御装置とを構成した上で、局側光パワーメータ、加入者側光パワーメータ、局側試験光光パワーメータ及び前記加入者側試験光光パワーメータによる計測結果に基づいて、局側伝送装置及び加入者側伝送装置に入力される光信号の光強度差を算出し、光強度差を縮減するように局側光パワー調整器及び加入者側光パワー調整器それぞれの調整量を制御することにより、通信品質を劣化させずに光通信線路切替が可能となる。
【０００８】
また、局側試験光光源及び加入者側試験光光源それぞれから発生される試験光を現用線路上及び迂回線路上で伝搬させて、局側伝送装置及び加入者側伝送装置に入力される光信号の光強度差を算出するようにしているので、信頼性の高い光通信線路切替技術の提供が可能となる。
【０００９】
また、本発明の一観点は、互いに対向する局側伝送装置と加入者側伝送装置が現用線路を介して信号光を送受信する光通信システムに用いられ、分岐比が既知の光カプラ間で前記現用線路と信号伝達時間と線路損失が一致する迂回線路を構築し、通信状態を維持しながら別の新規線路に切り替える光通信線路切替装置において、前記局側伝送装置からの光信号パワーを計測するための局側光パワーメータと、前記加入者側伝送装置からの光信号パワーを計測するための加入者側光パワーメータと、前記現用線路と前記迂回線路の遅延量を一致させるための遅延量調整器と、前記遅延量調整器から前記局側伝送装置に送信される光信号パワーを、設定された調整量に基づいて調整するための局側光パワー調整器と、前記遅延量調整器から前記加入者側伝送装置に送信される光信号パワーを、設定された調整量に基づいて調整するための加入者側光パワー調整器と、前記局側光パワーメータと前記加入者側光パワーメータと前記局側光パワー調整器と前記加入者側光パワー調整器と前記遅延量調整器を制御するものであって、前記局側光パワーメータの計測結果及び前記加入者側光パワーメータの計測結果に基づいて、前記局側光パワー調整器及び前記加入者側光パワー調整器それぞれの調整量を制御するための制御装置とを備えるようにしたものである。
【００１０】
この構成によれば、局側伝送装置及び加入者側伝送装置にそれぞれ設けられる光カプラの分岐比を利用して、試験光を生成する必要がなく、局側光パワーメータ及び加入者側光パワーメータによる計測結果に基づいて、局側伝送装置及び加入者側伝送装置に入力される光信号の光強度差を算出し、光強度差を縮減するように局側光パワー調整器及び加入者側光パワー調整器それぞれの調整量を制御することにより、簡単な構成で通信品質を劣化させずに光通信線路切替が可能となる。
【発明の効果】
【００１１】
本発明では、遅延量調整器から送信される光信号パワーを調整する機能を備えている。これにより、局側伝送装置および加入者側伝送装置から現用線路を通って前記局側伝送装置および前記加入者側伝送装置で受光される光信号パワーと前記遅延量調整器から迂回線路を通って前記局側伝送装置および前記加入者側伝送装置で受光される光信号パワーに差がある場合においても遅延量調整器から送信される光信号パワーを調整することで、通信品質を劣化させずに光通信線路切替が可能となる光通信線路切替装置、光通信線路切替方法及び光信号パワー調整方法を提供するものである。
【図面の簡単な説明】
【００１２】
【図１】本発明の第１の実施形態に係る光通信線路切替装置の構成を示すブロック図。
【図２】第１の実施形態における光パワー調整を行う際の制御装置による制御処理手順を示すフローチャート。
【図３】本発明の第２の実施形態に係る光通信線路切替装置の構成を示すブロック図。
【図４】第２の実施形態における光パワー調整を行う際の制御装置による制御処理手順を示すフローチャート。
【発明を実施するための形態】
【００１３】
（第１の実施形態）  
本発明の第１の実施形態に係る光通信線路切替装置は、局側光パワーメータ、加入者側光パワーメータ、局側試験光光源、加入者側試験光光源、局側試験光光パワーメータ、加入者側試験光光パワーメータ、遅延量調整器、局側光パワー調整器、加入者側光パワー調整器およびこれら全体を制御する制御装置から構成される。これにより局側伝送装置および加入者側伝送装置から現用線路を通って前記局側伝送装置および前記加入者側伝送装置で受光される光信号パワーと前記遅延量調整器から迂回線路を通って前記局側伝送装置および前記加入者側伝送装置で受光される光信号パワーに差がある場合においても前記遅延量調整器から送信される光信号パワーを調整することで、通信品質を劣化させずに光通信線路切替が可能となる。
【００１４】
以下、図面を参照して、本発明の第１の実施形態について説明する。
図１は、本発明の第１の実施形態に係る光通信線路切替装置の構成を示すブロック図である。この光通信線路切替装置は、互いに対向する局側伝送装置１と加入者側伝送装置２が、局側試験光反射フィルタ３、加入者側試験光反射フィルタ４、光カプラ５,６、現用線路７を介して信号光を送受信する光通信システムに用いられる。さらに、遅延量調整器は、光カプラ５,６を用いて、現用線路７と信号伝達時間が一致する加入者側迂回線路８、局側迂回線路８’を構築している。
【００１５】
加入者側迂回線路８及び局側迂回線路８’には、局側伝送装置１と加入者側伝送装置２との間で送受信される光信号パワーを調整するための加入者側光カプラ９、局側光カプラ９’、加入者側光パワーメータ１０、局側光パワーメータ１１、局側試験光光源１２、加入者側試験光光源１３、局側試験光光パワーメータ１４、加入者側試験光光パワーメータ１５、遅延量調整器１６、局側光パワー調整器１７、加入者側光パワー調整器１７’が設けられる。
【００１６】
このうち、加入者側光パワーメータ１０、局側光パワーメータ１１、局側試験光光源１２、加入者側試験光光源１３、局側試験光光パワーメータ１４、加入者側試験光光パワーメータ１５、遅延量調整器１６、局側光パワー調整器１７、加入者側光パワー調整器１７’は、制御線１８を介して制御装置１９と接続される。
【００１７】
制御装置１９は、例えばマイクロプロセッサにアプリケーション・プログラムを実行させることにより機能するもので、加入者側光パワーメータ１０、局側光パワーメータ１１、局側試験光光パワーメータ１４、加入者側試験光光パワーメータ１５による計測結果に基づいて、局側試験光光源１２、加入者側試験光光源１３、遅延量調整器１６、局側光パワー調整器１７、加入者側光パワー調整器１７’を制御する。
【００１８】
局側伝送装置１から出力された光信号は、局側試験光反射フィルタ３を通過後、光カプラ５に入力される。光カプラ５に入力された光信号は２つの経路に出力される。光カプラ５から出力された光信号は現用線路７および局側迂回線路８’をそれぞれ伝搬する。
【００１９】
現用線路７を伝搬した光信号は、光カプラ６に入力される。一方、局側迂回線路８’を伝搬した光信号は、局側光カプラ９’に入力される。局側光カプラ９’に入力され、局側伝送装置１から出力された光信号は２つの経路に出力される。つまり、局側光カプラ９’から出力された局側伝送装置１から出力された光信号は、局側光パワーメータ１１および局側光パワー調整器１７に入力される。
【００２０】
局側光パワーメータ１１に入力された光信号は、局側光パワーメータ１１によって光パワーを計測される。この局側光パワーメータ１１による計測結果は、制御線１８を介して制御装置１９に通知される。局側光パワー調整器１７に入力された光信号は、光パワーを調整され、出力される。局側光パワー調整器１７から出力された光信号は、遅延量調整器１６に入力される。
【００２１】
遅延量調整器１６は、例えば制御装置１９から指示に従って、現用線路７における通信状態を維持しながら現用線路７から加入者側迂回線路８、局側迂回線路８’への切り替えを行う場合に、局側光パワー調整器１７から出力された光信号を、制御装置１９から制御線１８を介して与えられる遅延量に従い遅延処理し、この遅延処理後の光信号を出力する機能を有する。なお、遅延量は、現用線路７と加入者側迂回線路８、局側迂回線路８’との間で信号伝達時間を一致させるための決められた量であるものとする。
【００２２】
また、遅延量調整器１６は、加入者側迂回線路８、局側迂回線路８’における通信状態を維持しながら加入者側迂回線路８、局側迂回線路８’から現用線路７への切り替えを行う場合に、局側光パワー調整器１７と加入者側光パワー調整器１７’との間の接続を切り離す。
遅延量調整器１６から出力された光信号は、加入者側光パワー調整器１７’に入力される。加入者側光パワー調整器１７’に入力された光信号は光パワーを調整され、出力される。加入者側光パワー調整器１７’から出力された光信号は、加入者側光カプラ９に入力される。
【００２３】
加入者側光カプラ９に入力された光信号は、加入者側試験光光源１３からの試験光と合波され、出力される。加入者側光カプラ９から出力された光信号および試験光は加入者側迂回線路８を伝搬する。加入者側迂回線路８を伝搬した光信号および試験光は、光カプラ６に入力される。
【００２４】
加入者側迂回線路８を伝搬した光信号および試験光と上記現用線路７を伝搬した光信号は光カプラ６にて合波され、出力される。光カプラ６から出力された光信号のうち局側伝送装置１から出力された光信号と遅延量調整器１６から出力された光信号は、加入者側試験光反射フィルタ４を通過し、加入者側試験光光源１３から出力された試験光は反射される。
【００２５】
加入者側試験光反射フィルタ４を通過し、局側伝送装置１から出力された光信号と前記遅延量調整器１６から出力された光信号は、加入者側伝送装置２に入力される。上記加入者側試験光反射フィルタ４にて反射された試験光は、光カプラ６に入力される。光カプラ６に入力された試験光は２つの経路に出力される。
【００２６】
前記光カプラ６にから出力された試験光は、加入者側迂回線路８および現用線路７をそれぞれ伝搬する。加入者側迂回線路８を伝搬した試験光は、加入者側光カプラ９に入力される。加入者側光カプラ９に入力された試験光は、加入者側試験光光パワーメータ１５に向けて出力される。加入者側試験光光パワーメータ１５に入力された試験光は光パワーを計測される。そして、加入者側試験光光パワーメータ１５による計測結果は、制御線１８を介して制御装置１９に通知される。
【００２７】
現用線路７を伝搬した試験光は、光カプラ５に入力される。光カプラ５に入力された試験光は、局側試験光反射フィルタ３に向けて出力される。局側試験光反射フィルタ３にて試験光は反射され、光カプラ５に入力される。光カプラ５に入力された試験光は、２つの経路に出力される。光カプラ５から出力された試験光は、現用線路７および局側迂回線路８’をそれぞれ伝搬する。
【００２８】
現用線路７を伝搬した試験光は、光カプラ６に入力される。局側迂回線路８’を伝搬した試験光は、局側光カプラ９’に入力される。局側光カプラ９’に入力された試験光は、局側試験光光パワーメータ１４に向けて出力される。局側試験光光パワーメータ１４に入力された試験光は光パワーを計測される。そして、局側試験光光パワーメータ１４による計測結果は、制御装置１９に通知される。なお、試験光の波長は通信光に影響が無く、試験光反射フィルタで反射される波長であることが望ましい。
【００２９】
また、同様に加入者側伝送装置２から出力された光信号は、加入者側試験光反射フィルタ４を通過後、光カプラ６に入力される。光カプラ６に入力された光信号は、２つの経路に出力される。光カプラ６から出力された光信号は、現用線路７および加入者側迂回線路８をそれぞれ伝搬する。
【００３０】
現用線路７を伝搬した光信号は、光カプラ５に入力される。加入者側迂回線路８を伝搬した光信号は、加入者側光カプラ９に入力される。加入者側光カプラ９に入力され、加入者側伝送装置２から出力された光信号は、２つの経路に出力される。加入者側光カプラ９から出力され、加入者側伝送装置２から出力された光信号は、加入者側光パワーメータ１０および加入者側光パワー調整器１７’に入力される。加入者側光パワーメータ１０に入力された光信号は、加入者側光パワーメータ１０によって光パワーを計測される。そして、加入者側光パワーメータ１０による計測結果は、制御線１８を介して制御装置１９に通知される。
【００３１】
加入者側光パワー調整器１７’に入力された光信号は、光パワーを調整され、出力される。加入者側光パワー調整器１７’から出力された光信号は、遅延量調整器１６に入力される。遅延量調整器１６に入力された光信号は、遅延量を調整され、出力される。
【００３２】
遅延量調整器１６から出力された光信号は、局側光パワー調整器１７に入力される。局側光パワー調整器１７に入力された光信号は、光パワーを調整され、出力される。局側光パワー調整器１７から出力された光信号は、局側光カプラ９’に入力される。局側光カプラ９’に入力された光信号は、局側試験光光源１２からの試験光と合波され、出力される。
【００３３】
局側光カプラ９’から出力された光信号および試験光は、局側迂回線路８’を伝搬する。局側迂回線路８’を伝搬した光信号および試験光は、光カプラ５に入力される。局側迂回線路８’を伝搬した光信号および試験光と上記現用線路７を伝搬した光信号は、光カプラ５にて合波され、出力される。
【００３４】
光カプラ５から出力された光信号のうち、加入者側伝送装置２から出力された光信号と前記遅延量調整器１６から出力された光信号は、局側試験光反射フィルタ３を通過し、局側試験光光源１２から出力された試験光は反射される。局側試験光反射フィルタ３を通過した加入者側伝送装置２から出力された光信号と遅延量調整器１６から出力された光信号は、局側伝送装置１に入力される。
【００３５】
局側試験光反射フィルタ３にて反射された試験光は、光カプラ５に入力される。光カプラ５に入力された試験光は、２つの経路に出力される。光カプラ５から出力された試験光は、局側迂回線路８’および現用線路７をそれぞれ伝搬する。局側迂回線路８’を伝搬した試験光は局側光カプラ９’に入力される。
【００３６】
局側光カプラ９’に入力された試験光は、局側試験光光パワーメータ１４に向けて出力される。局側試験光光パワーメータ１４に入力された試験光は光パワーを計測される。そして、局側試験光光パワーメータ１４による計測結果は、制御線１８を介して制御装置１９に通知される。
【００３７】
現用線路７を伝搬した試験光は、前記光カプラ６に入力される。光カプラ６に入力された試験光は、加入者側試験光反射フィルタ４に向けて出力される。加入者側試験光反射フィルタ４にて試験光は、反射され、光カプラ６に入力される。光カプラ６に入力された試験光は、２つの経路に出力される。光カプラ６から出力された試験光は、現用線路７および加入者側迂回線路８をそれぞれ伝搬する。現用線路７を伝搬した試験光は光カプラ５に入力される。
【００３８】
加入者側迂回線路８を伝搬した試験光は、加入者側光カプラ９に入力される。加入者側光カプラ９に入力された試験光は、加入者側試験光光パワーメータ１５に向けて出力される。加入者側試験光光パワーメータ１５に入力された試験光は、光パワーを計測される。そして、加入者側試験光光パワーメータ１５による計測結果は、制御線１８を介して制御装置１９に通知される。
【００３９】
次に、光パワー調整方法について図２を用いて説明する。図２は、上記制御装置１９による制御処理手順を示すフローチャートである。
局側試験光光源１２および加入者側試験光光源１３から試験光が出力されていない状態を初期状態とする。まず、加入者側伝送装置２から出力され、加入者側迂回経路８を伝搬する光信号の光パワーP１を、加入者側光パワーメータ１０にて計測する。合わせて、局側伝送装置１から出力され、局側迂回経路８’を伝搬する光信号の光パワーP２を、局側光パワーメータ１１にて計測する（ステップＳＴ２ａ）。それぞれを式で表すと、次のようになる。
【００４０】
【数１】
2014212471.tif 000003
ここで、Ponuは加入者側伝送装置２からの出力光パワー、Poltは局側伝送装置１からの出力光パワー、L1は局側伝送装置１から局側反射フィルタ３までの線路損失、L2は局側反射フィルタ３から光カプラ５までの線路損失、L4は光カプラ６から加入者側反射フィルタ４までの線路損失、L5は加入者側反射フィルタ４から加入者側伝送装置２までの線路損失、L6は光カプラ５から局側光パワーメータ１１までの線路損失、L7は光カプラ６から加入者側光パワーメータ１０までの線路損失、C5は光カプラ５の局側伝送装置１から局側迂回線路８’の経路の分岐損失あるいは局側迂回線路８’から局側伝送装置１の経路の分岐損失、C6は光カプラ６の加入者側伝送装置２から局側迂回線路８の経路の分岐損失あるいは光カプラ６の局側迂回線路８から加入者側伝送装置２の経路の分岐損失である。
【００４１】
次に、制御装置１９は、加入者側試験光光源１３から試験光を出力させる(ステップＳＴ２ｂ)。次に、制御装置１９は、加入者側試験光光パワーメータ１５にて加入者側試験光光源１３からの試験光の光パワーP3を計測する。合わせて、局側試験光光パワーメータ１４にて加入者側試験光光源１３からの試験光の光パワーP4を計測する（ステップＳＴ２ｃ）。それぞれを式で表すと、次のようになる。
【００４２】
【数２】
2014212471.tif 000004
ここで、Ps1は加入者側試験光光源１３からの出力光パワー、L3は光カプラ５から光カプラ６までの線路損失、F4は加入者側反射フィルタ４の反射損失、F3は局側反射フィルタ３の反射損失、C6’は光カプラ６の加入者側伝送装置２から現用線路７の経路の分岐損失あるいは光カプラ６の現用線路７から加入者側伝送装置２の経路の分岐損失、C5’は光カプラ５の局側伝送装置１から現用線路７の経路の分岐損失あるいは現用線路７から局側伝送装置１の経路の分岐損失である。
【００４３】
次に、制御装置１９は、加入者側試験光光源１３からの試験光を停止し、局側試験光光源１２から試験光を出力させる（ステップＳＴ２ｄ）。次に、制御装置１９は、加入者側試験光光パワーメータ１５にて局側試験光光源１２からの試験光の光パワーP5を計測する。合わせて、局側試験光光パワーメータ１４にて局側試験光光源１２からの試験光の光パワーP6を計測する（ステップＳＴ２ｅ）。それぞれを式で表すと、次のようになる。
【００４４】
【数３】
2014212471.tif 000005
ここで、Ps2は局側試験光光源１２からの出力光パワーである。ここで、加入者側伝送装置２から出力された光信号が現用線路７を伝搬後に局側伝送装置１に入力される光パワーをProlt1とし、加入者側伝送装置２から出力された光信号が遅延量調整器１６を通過後に局側伝送装置１に入力される光パワーをProlt2とするとそれぞれ以下の式で表される。
【００４５】
【数４】
2014212471.tif 000006
ここで、Ps3は遅延量調整器１６からの局側出力光パワーである。式(７)と式(８)が等しくなるように調整する場合にはPonuは以下の式で表すことができる。
【００４６】
【数５】
2014212471.tif 000007
また、式(１)と式(９)から以下のような式を求めることができる。
【００４７】
【数６】
2014212471.tif 000008
ここで、前記加入者側伝送装置２から出力された光信号と前記加入者側試験光光源１３から出力された試験光の伝搬損失が等しいとすると式(１０)と式(４)より以下のような式を求めることができる。
【００４８】
【数７】
2014212471.tif 000009
ここで、ステップＳＴ２ｆにおいて、局側光カプラ９’および加入者側光カプラ９からの各経路への分岐損失が等しいとすると、式(１１)と式(３)および式(５)よりPs3は、以下の式で表すことができる。
【００４９】
【数８】
2014212471.tif 000010
よって、前記局側光パワー調整器１７の調整量Ｔ1は、以下の式で表すことができる。
【００５０】
【数９】
2014212471.tif 000011
ここで、Ps3’は局側光パワー調整器１７で出力光パワーを調整される前の遅延量調整器１６から出力光パワーである。
また、同様に局側伝送装置１から出力された光信号が現用線路７を伝搬後に加入者側伝送装置２に入力される光パワーをPronu1とし、局側伝送装置１から出力された光信号が遅延量調整器１６を通過後に加入者側伝送装置２に入力される光パワーをPronu2とするとそれぞれ以下の式で表される。
【００５１】
【数１０】
2014212471.tif 000012
ここで、Ps4は遅延量調整器１６からの加入者側出力光パワーである。式(１４)と式(１５)が等しくなるように調整する場合にはPoltは以下の式で表すことができる。
【００５２】
【数１１】
2014212471.tif 000013
また、式(２)と式(１６)から以下のような式を求めることができる。
【００５３】
【数１２】
2014212471.tif 000014
ここで、局側伝送装置１から出力された光信号と局側試験光光源１２から出力された試験光の伝搬損失が等しいとすると式(１７)と式(４)より以下のような式を求めることができる。
【００５４】
【数１３】
2014212471.tif 000015
ここで、前記局側光カプラ９’および前記加入者側光カプラ９からの各経路への分岐損失が等しいとすると、式(１８)と式(３)および式(５)よりPs4は、次式で表すことができる。
【００５５】
【数１４】
2014212471.tif 000016
よって、加入者側光パワー調整器１７’の調整量Ｔ2は、次式で表すことができる。
【００５６】
【数１５】
2014212471.tif 000017
ここで、Ps4’は加入者側光パワー調整器１７’で出力光パワーを調整される前の遅延量調整器１６から出力光パワーである。制御装置１９は、式(１３)と式(２０)からそれぞれ求められた調整量Ｔ1および調整量Ｔ2をそれぞれ局側光パワー調整器１７および加入者側光パワー調整器１７’に設定する（ステップＳＴ２ｇ）。したがって、加入者側伝送装置２から出力された光信号が現用線路７を伝搬後に局側伝送装置１に入力される光パワーProlt1と加入者側伝送装置２から出力された光信号が遅延量調整器１６を通過後に局側伝送装置１に入力される光パワーProlt2を等しくすることができ、局側伝送装置１から出力された光信号が現用線路７を伝搬後に加入者側伝送装置２に入力される光パワーPronu1と局側伝送装置１から出力された光信号が遅延量調整器１６を通過後に加入者側伝送装置２に入力される光パワーPronu2を等しくすることができる。
【００５７】
以上のように上記第１の実施形態によれば、現用線路７を伝搬する信号光（上り、下り）と加入者側迂回線路８、局側迂回線路８’を伝搬する信号光（上り、下り）の局側伝送装置１及び加入者側伝送装置２に入力される際の光強度差に着目し、例えば加入者側迂回線路８、局側迂回線路８’の区間内に、加入者側光パワーメータ１０、局側光パワーメータ１１、局側試験光光源１２、加入者側試験光光源１３、局側試験光光パワーメータ１４、加入者側試験光光パワーメータ１５、遅延量調整器１６、局側光パワー調整器１７、加入者側光パワー調整器１７’を構成した上で、加入者側光パワーメータ１０、局側光パワーメータ１１、局側試験光光パワーメータ１４及び加入者側試験光光パワーメータ１５による計測結果に基づいて、局側伝送装置１及び加入者側伝送装置２に入力される光信号の光強度差を算出し、光強度差を縮減するように局側光パワー調整器１７及び加入者側光パワー調整器１７’それぞれの調整量を制御することにより、通信品質を劣化させずに光通信線路切替が可能となる。
【００５８】
また、上記第１の実施形態によれば、局側試験光光源１２、加入者側試験光光源１３それぞれから発生される試験光を現用線路７上及び加入者側迂回線路８、局側迂回線路８’上で伝搬させて、局側伝送装置１及び加入者側伝送装置２に入力される光信号の光強度差を算出するようにしているので、信頼性の高い光通信線路切替技術の提供が可能となる。
【００５９】
（第２の実施形態）  
本発明の第２の実施形態に係る光通信線路切替装置は、局側光パワーメータ、加入者側光パワーメータ、遅延量調整器、局側光パワー調整器、加入者側光パワー調整器およびこれら全体を制御する制御装置から構成される。これにより局側伝送装置および加入者側伝送装置から現用線路を通って局側伝送装置および加入者側伝送装置で受光される光信号パワーと、遅延量調整器から迂回線路を通って局側伝送装置および加入者側伝送装置で受光される光信号パワーに差がある場合においても遅延量調整器から送信される光信号パワーを調整することで、通信品質を劣化させずに光通信線路切替が可能となる。
【００６０】
以下、図面を参照して、本発明の第２の実施形態について説明する。
図３は、本発明の第２の実施形態に係る光通信線路切替装置の構成を示すブロック図である。
この光通信線路切替装置は、互いに対向する局側伝送装置１０１と加入者側伝送装置１０２が、光カプラ１０５,１０６、現用線路１０７を介して信号光を送受信する光通信システムに用いられる。さらに、光通信線路切替装置は、光カプラ１０５,１０６を用いて、現用線路１０７と信号伝達時間が一致する加入者側迂回線路１０８、局側迂回線路１０８’を構築している。
【００６１】
加入者側迂回線路１０８及び局側迂回線路１０８’には、局側伝送装置１０１と加入者側伝送装置１０２との間で送受信される光信号パワーを調整するための加入者側光カプラ１０９、局側光カプラ１０９’、加入者側光パワーメータ１１０、局側光パワーメータ１１１、遅延量調整器１１６、局側光パワー調整器１１７、加入者側光パワー調整器１１７’が設けられる。
【００６２】
このうち、加入者側光パワーメータ１１０、局側光パワーメータ１１１、遅延量調整器１１６、局側光パワー調整器１１７、加入者側光パワー調整器１１７’は、制御線１１８を介して制御装置１１９と接続される。
制御装置１１９は、例えばマイクロプロセッサにアプリケーション・プログラムを実行させることにより機能するもので、加入者側光パワーメータ１１０、局側光パワーメータ１１１による計測結果に基づいて、遅延量調整器１１６、局側光パワー調整器１１７、加入者側光パワー調整器１１７’を制御する。
【００６３】
遅延量調整器１１６は、例えば制御装置１１９から指示に従って、現用線路１０７における通信状態を維持しながら現用線路１０７から加入者側迂回線路１０８、局側迂回線路１０８’への切り替えを行う場合に、局側光パワー調整器１１７から出力された光信号を、制御装置１９から制御線１８を介して与えられる遅延量に従い遅延処理し、この遅延処理後の光信号を出力する機能を有する。なお、遅延量は、現用線路１０７と加入者側迂回線路１０８、局側迂回線路１０８’との間で信号伝達時間を一致させるための決められた量であるものとする。
【００６４】
また、遅延量調整器１１６は、加入者側迂回線路１０８、局側迂回線路１０８’から現用線路７への切り替えを行う場合に、局側光パワー調整器１１７と加入者側光パワー調整器１１７’との間の接続を切り離す。
局側伝送装置１０１から出力された光信号は、光カプラ１０５に入力される。光カプラ１０５に入力された光信号は、２つの経路に出力される。光カプラ１０５から出力された光信号は現用線路１０７および局側迂回線路１０８’をそれぞれ伝搬する。現用線路１０７を伝搬した光信号は光カプラ１０６に入力される。局側迂回線路１０８’を伝搬した光信号は、局側光カプラ１０９’に入力される。
【００６５】
局側光カプラ１０９’に入力された局側伝送装置１０１から出力された光信号は、２つの経路に出力される。局側光カプラ１０９’から出力され、局側伝送装置１０１から出力された光信号は局側光パワーメータ１１１および局側光パワー調整器１１７に入力される。局側光パワーメータ１１１に入力された光信号は、局側光パワーメータ１１１によって光パワーを計測される。そして、局側光パワーメータ１１１による計測結果は、制御線１１８を介して制御装置１１９に通知される。
【００６６】
局側光パワー調整器１１７に入力された光信号は光パワーを調整され、出力される。局側光パワー調整器１１７から出力された光信号は、遅延量調整器１１６に入力される。遅延量調整器１１６に入力された光信号は遅延量を調整され、出力される。
【００６７】
遅延量調整器１１６から出力された光信号は、加入者側光パワー調整器１１７’に入力される。加入者側光パワー調整器１１７’に入力された光信号は光パワーを調整され、出力される。加入者側光パワー調整器１１７’から出力された光信号は、加入者側光カプラ１９に入力される。加入者側光カプラ１１９に入力された光信号は出力される。加入者側光カプラ１０９から出力された光信号は加入者側迂回線路１０８を伝搬する。
【００６８】
加入者側迂回線路１０８を伝搬した光信号は、光カプラ１０６に入力される。加入者側迂回線路１０８を伝搬した光信号と現用線路１０７を伝搬した光信号は、光カプラ１０６にて合波され、出力される。光カプラ１０６から出力された光信号は、局側伝送装置１０１から出力された光信号と遅延量調整器１１６から出力された光信号は、加入者側伝送装置１０２に入力される。
【００６９】
また、同様に、加入者側伝送装置１０２から出力された光信号は、光カプラ１０６に入力される。光カプラ１０６に入力された光信号は２つの経路に出力される。光カプラ１０６から出力された光信号は、現用線路１０７および前記加入者側迂回線路１０８をそれぞれ伝搬する。前記現用線路１０７を伝搬した光信号は前記光カプラ１０５に入力される。前記加入者側迂回線路１０８を伝搬した光信号は、加入者側光カプラ１０９に入力される。
【００７０】
加入者側光カプラ１０９に入力された加入者側伝送装置１０２から出力された光信号は、２つの経路に出力される。加入者側光カプラ１０９から出力された加入者側伝送装置１０２から出力された光信号は、加入者側光パワーメータ１１０および加入者側光パワー調整器１１７’に入力される。加入者側光パワーメータ１１０に入力された光信号は、加入者側光パワーメータ１１０によって光パワーを計測される。そして、加入者側光パワーメータ１１０による計測結果は、制御線１１８を介して制御装置１１９に通知される。
【００７１】
加入者側光パワー調整器１１７’に入力された光信号は光パワーを調整され、出力される。加入者側光パワー調整器１１７’から出力された光信号は、遅延量調整器１１６に入力される。遅延量調整器１１６に入力された光信号は遅延量を調整され、出力される。前記遅延量調整器１１６から出力された光信号は前記局側光パワー調整器１１７に入力される。
【００７２】
局側光パワー調整器１１７に入力された光信号は光パワーを調整され、出力される。局側光パワー調整器１１７から出力された光信号は、局側光カプラ１０９’に入力される。局側光カプラ１０９’に入力された光信号は出力される。
局側光カプラ１０９’から出力された光信号は、局側迂回線路１０８’を伝搬する。前記局側迂回線路１０８’を伝搬した光信号は前記光カプラ１０６に入力される。局側迂回線路１０８’を伝搬した光信号と前記現用線路１０７を伝搬した光信号は前記光カプラ１０５にて合波され、出力される。加入者側伝送装置１０２から出力された光信号と遅延量調整器１１６から出力された光信号は、局側伝送装置１０１に入力される。
【００７３】
次に、光パワー調整方法について図４を用いて説明する。図４は、上記制御装置１１９による制御処理手順を示すフローチャートである。
まず、制御装置１１９は、加入者側伝送装置１０２から出力され、加入者側迂回経路１０８を伝搬する光信号の光パワーP１０１を加入者側光パワーメータ１１０にて計測する。合わせて、局側伝送装置１０１から出力され、前記局側迂回経路１０８’を伝搬する光信号の光パワーP１０２を局側光パワーメータ１１１にて計測する（ステップＳＴ４ａ）。それぞれを式で表すと、以下となる。
【００７４】
【数１６】
2014212471.tif 000018
ここで、Ponuは加入者側伝送装置１０２からの出力光パワー、Poltは局側伝送装置１０１からの出力光パワー、L2は局側伝送装置１０１から光カプラ１０５までの線路損失、L4は光カプラ１０６から加入者側伝送装置１０２までの線路損失、L6は光カプラ１０５から局側光パワーメータ１１１までの線路損失、L7は光カプラ１０６から加入者側光パワーメータ１１０までの線路損失、C5は光カプラ１０５の局側伝送装置１０１から局側迂回線路１０８’の経路の分岐損失あるいは局側迂回線路１０８’から局側伝送装置１０１の経路の分岐損失、C6は光カプラ１０６の加入者側伝送装置１０２から局側迂回線路１０８の経路の分岐損失あるいは前記光カプラ１０６の局側迂回線路１０８から加入者側伝送装置１０２の経路の分岐損失である。
【００７５】
ここで、実際の運用を考えると切替機は局内に設置されている光カプラ１０５の周辺に設置することが考えられることから線路損失Ｌ6は0dBに近似可能である。よって、式(２２)から局側伝送装置１０１からの光信号の前記光カプラ１０５への入力光パワーＰ１０５は、以下となる。
【００７６】
【数１７】
2014212471.tif 000019
よって、式(２３)から局側伝送装置１０１からの光信号の加入者側伝送装置１０２への入力光パワーＰ１０３は、以下となる。
【００７７】
【数１８】
2014212471.tif 000020
ここで、C6’は光カプラ６の加入者側伝送装置２から現用線路７の経路の分岐損失あるいは光カプラ６の現用線路７から加入者側伝送装置２の経路の分岐損失、C5’は光カプラ５の局側伝送装置１から現用線路７の経路の分岐損失あるいは現用線路７から局側伝送装置１の経路の分岐損失である。一方、遅延量調整器１１６からの加入者側出力光信号の加入者側伝送装置１０２への入力光パワーＰ１０４は、以下となる。
【００７８】
【数１９】
2014212471.tif 000021
ここで、Ps4は遅延量調整器１１６からの加入者側出力光パワーである。実際の運用を考えると加入者側迂回線路１０８’は現用線路１０７と同一のテープ心線から選択することが考えられることから線路損失Ｌ7と線路損失Ｌ3は等しくなる。よって、制御装置１１９は、ステップＳＴ４ｂにおいて、式(２４)と式(２５)から、以下のように加入者側光パワー調整器１７’の調整量Ｔ１０２を求める。
【００７９】
【数２０】
2014212471.tif 000022
ここで、Ps4’は加入者側光パワー調整器１７’で出力光パワーを調整される前の遅延量調整器１１６から出力光パワーである。よって、光カプラ１０５および前記光カプラ１０６の分岐比が既知であれば前記調整量Ｔ１０２を求めることが可能となる。
また、同様に式(２１)から前記加入者側伝送装置１０２からの光信号の前記光カプラ１０６への入力光パワーＰ１０６は、以下となる。
【００８０】
【数２１】
2014212471.tif 000023
よって、式(２７)から前記加入者側伝送装置１０２からの光信号の前記局側伝送装置１０１への入力光パワーＰ１０７は、以下となる。
【００８１】
【数２２】
2014212471.tif 000024
一方、前記遅延量調整器１１６からの局側出力光信号の前記局側伝送装置１０１への入力光パワーＰ１０８は、以下となる。
【００８２】
【数２３】
2014212471.tif 000025
ここで、Ps3は前記遅延量調整器１１６からの加入者側出力光パワーである。実際の運用を考えると前記加入者側迂回線路１０８’は前記現用線路１０７と同一のテープ心線から選択することが考えられることから前記線路損失Ｌ7と前記線路損失Ｌ3は等しくなり、切替機は局内に設置されている前記光カプラ１０５の周辺に設置することが考えられることから前記線路損失Ｌ6は0dBに近似可能である。よって、制御装置１１９は、上記ステップＳＴ４ｂにおいて、式(２８)と式(２９)から、以下のような局側光パワー調整器１７の調整量Ｔ１０１を求める。
【００８３】
【数２４】
2014212471.tif 000026
ここで、Ps3’は局側光パワー調整器１７で出力光パワーを調整される前の遅延量調整器１１６から出力光パワーである。そして、制御装置１１９は、ステップＳＴ４ｃにおいて、式(２６)と式(３０)からそれぞれ求められた調整量Ｔ101および調整量Ｔ102をそれぞれ局側光パワー調整器１１７および加入者側光パワー調整器１１７’に設定する。
【００８４】
従って、加入者側伝送装置１０２から出力された光信号が現用線路１０７を伝搬後に局側伝送装置１０１に入力される光パワーと加入者側伝送装置１０２から出力された光信号が遅延量調整器１１６を通過後に局側伝送装置１０１に入力される光パワーを等しくすることができ、局側伝送装置１０１から出力された光信号が現用線路１０７を伝搬後に加入者側伝送装置１０２に入力される光パワーと局側伝送装置１０１から出力された光信号が遅延量調整器１１６を通過後に加入者側伝送装置１０２に入力される光パワーを等しくすることができる。
【００８５】
以上のように上記第２の実施形態によれば、局側伝送装置１０１及び加入者側伝送装置１０２にそれぞれ設けられる光カプラ１０５，１０６の分岐比を利用して、加入者側光パワーメータ１１０及び局側光パワーメータ１１１による計測結果に基づいて、局側伝送装置１０１及び加入者側伝送装置１０２に入力される光信号の光強度差を算出し、光強度差を縮減するように局側光パワー調整器１１７および加入者側光パワー調整器１１７’それぞれの調整量を制御することにより、試験光を生成する必要が無い分、簡単な構成で通信品質を劣化させずに光通信線路切替が可能となる。
【００８６】
（その他の実施形態）  
なお、この発明は上記各実施形態に限定されるものではない。例えば、上記各実施形態では、現用線路から迂回線路へ、迂回線路から現用線路へ切り替える例について説明したが、現用線路、迂回線路以外の新規の線路に切り替えるものであってもよい。この場合も、通信状態を維持しながら新規の線路に切り替えることができる。また、光通信線路切替装置の構成等についても、この発明の要旨を逸脱しない範囲で種々変形して実施可能である。
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００８７】
１…局側伝送装置、２…加入者側伝送装置、３…局側試験光反射フィルタ、４…加入者側試験光反射フィルタ、５，６…光カプラ、７…現用線路、８…加入者側迂回線路、８’ …局側迂回線路、９…加入者側光カプラ、９’ …局側光カプラ、１０…加入者側光パワーメータ、１１…局側光パワーメータ、１２…局側試験光光源、１３…加入者側試験光光源、１４…局側試験光光パワーメータ、１５…加入者側試験光光パワーメータ、１６…遅延量調整器、１７…局側光パワー調整器、１７’…加入者側光パワー調整器、１８…制御線、１９…制御装置、１０１…局側伝送装置、１０２…加入者側伝送装置、１０５，１０６…光カプラ、１０７…現用線路、１０８…加入者側迂回線路、１０８’…局側迂回線路、１０９…加入者側光カプラ、１０９’…局側光カプラ、１１０…加入者側光パワーメータ、１１１…局側光パワーメータ、１１６…遅延量調整器、１１７…局側光パワー調整器、１１７’…加入者側光パワー調整器、１１８…制御線、１１９…制御装置。
【図１】
2014212471.tif 000027
【図２】
2014212471.tif 000028
【図３】
2014212471.tif 000029
【図４】
2014212471.tif 000030